(57)【要約】      （修正有）【課題】痴漢と疑われた際に自己の行動の潔白を証明し得る痴漢冤罪防止用眼鏡を提供する。【解決手段】痴漢冤罪防止用眼鏡１は、一般的な眼鏡用フレームと同様に、フロント３、リム５、ブリッジ７、パッド９、智１１、丁番１３、テンプル１５、及びモダン１７からなり、智１１に、フレームより下方の胸部から下に位置する体の部分を撮影する超小型の撮影装置１９、及び撮影画像と撮影時刻を記録する記録装置２１を内蔵すると共に、テンプル１５に撮影装置及び記録装置を駆動するための超小型のバッテリー２５を内蔵して構成されている。【選択図】図２
0003213908.tif 000002
【実用新案登録請求の範囲】
【請求項１】
眼鏡用フレームに取り付けられ、前記眼鏡用フレームより下方を撮像範囲に含むように下向きに取り付けられてなるカメラレンズ部を有する撮影装置と、
前記撮影装置で撮影された画像が、前記画像の撮影時刻と共に記録される記録装置とを備え、
前記画像には、前記眼鏡用フレームを装着した者の胸部から下に位置する体の部分の外観が含まれる
ことを特徴とする痴漢冤罪防止用眼鏡。
【考案の詳細な説明】
【技術分野】
【０００１】
本考案は、痴漢と疑われた際に自己の行動の潔白を証明し得る痴漢冤罪防止用眼鏡に関する。
【背景技術】
【０００２】
過去より、電車やバス等の人が混みあった場所で、女性の体に触れる痴漢犯罪が社会的な問題として続いている。
【考案の概要】
【考案が解決しようとする課題】
【０００３】
そのような中、痴漢犯罪を撲滅しようという動きが高まり、痴漢犯罪の取締り強化に伴って、痴漢行為をしていない者が告発され、無実の罪を着せられる冤罪事件が発生するようになった。
【０００４】
特に、痴漢行為を行っていないにも拘らず痴漢を疑われた場合、痴漢行為をされたと主張する者の意見が重視され、疑われた者が不利な立場に立たされる事案も生じている。痴漢を疑われた者にとっては、痴漢行為が疑われた時点での自己の行為を証明できないことが、疑いを晴らすことのできない最大の課題であった。
【課題を解決するための手段】
【０００５】
そこで、上記課題を解決するための手段として本考案に係る痴漢冤罪防止用眼鏡は、眼鏡用フレームに取り付けられ、前記眼鏡用フレームより下方を撮像範囲に含むように下向きに取り付けられてなるカメラレンズ部を有する撮影装置と、前記撮影装置で撮影された画像が、前記画像の撮影時刻と共に記録される記録装置とを備え、前記画像には、前記眼鏡用フレームを装着した者の胸部から下に位置する体の部分の外観が含まれることを特徴とする。
【０００６】
前記下方とは、装着者が直立姿勢で前記眼鏡用フレームを装着した状態において、前記眼鏡用フレームの直下の方向をいい、装着者の胸部から下に位置する手足等の体の部分が見える方向をいう。
【０００７】
前記眼鏡用フレームとは、眼鏡の縁部材及び装着部材を構成する部材をいい、具体的には、フロント（フレームの前面部の総称）、リム（レンズの周りを囲む枠の部分）、ブリッジ（左右のリムを繋ぐ部分）、パッド（鼻を挟むようにして眼鏡を固定する部分）、智（テンプルと連結するフロントの両端の部分）、丁番（智とテンプルを繋いでテンプルを開閉する部分）、テンプル（眼鏡を支える「つる」の部分）、及びモダン（耳に接する部分）からなる。
【０００８】
前記画像には、静止画及び動画のいずれか一方、若しくは両方が含まれる。
【０００９】
前記撮影装置及び前記記録装置は、前記リム、前記ブリッジ、前記智、前記テンプル及び前記モダン等のいずれの前記眼鏡用フレームの部材にも備えることができる。
【００１０】
たとえば、前記智に前記撮影装置を取り付ける場合、前記智に前記撮影装置が内蔵されてなることが好ましく、前記智が前記眼鏡用フレームの前記フロントの端部に位置することにより、前記下方を広範囲に撮影することが可能となる。この場合、前記撮影装置の前記カメラレンズ部は、前記智の下方に開放されてなる穴に下向きに取り付けられてなり、前記痴漢冤罪防止用眼鏡を装着した装着者の胸部から下に位置する手や足等の体の部分が含まれる周辺の外観を撮影することができる。なお、前記撮影装置は、前記眼鏡用フレームの外面に外付けされていても良い。
【００１１】
さらに、前記智には、前記記録装置が前記撮影装置の後方に内蔵されてなることが好ましく、前記智の前記丁番が取り付けられる側の端部に、前記撮影装置及び前記記録装置の通信用コネクタのソケット端子と、前記撮影装置及び前記記録装置に電源を供給する電源スイッチ用の固定側接点とが露出されてなることが好ましい。
【００１２】
前記テンプルには、電源供給用の充電可能なバッテリーを内蔵してなることが好ましく、前記テンプルの前記智と対向する側の端部に、前記撮影装置及び前記記録装置に電源を供給する電源スイッチ用の可動側接点が露出されてなることが好ましい。また、前記テンプルの下方には前記バッテリーを外部から充電するための充電端子が露出されてなることが好ましい。
【００１３】
前記テンプルを折り畳んで内側に閉じている場合は、前記可動側接点が前記固定側接点と離隔された状態となるために、前記バッテリーから前記撮影装置及び前記記録装置への電源の供給はオフの状態とすることができる。一方、前記テンプルが完全に開いている場合は、前記可動側接点が前記固定側接点と接触された状態となるために、前記バッテリーから前記撮影装置及び前記記録装置への電源の供給はオンの状態とすることができる。
【００１４】
したがって、前記テンプルを折り畳んで内側に閉じている状態から、装着者が前記テンプルを開いて前記痴漢冤罪防止用眼鏡を装着した段階で、前記可動側接点と前記固定側接点が接触して電源スイッチがオンの状態となることにより、装着者の胸部から下に位置する手や足等の体の部分が含まれる周辺の外観の撮影を開始することができる。
【００１５】
つまり、前記テンプルを開いて前記痴漢冤罪防止用眼鏡を装着するだけで電源スイッチがオンとなって撮影が開始され、撮影を終了したいときに前記痴漢冤罪防止用眼鏡を外して前記テンプルを折り畳むだけで電源スイッチがオフとなるので、一般的な眼鏡と同じように眼鏡を着脱及び収納する動作だけで、撮影の開始及び終了が簡易にできる。
【００１６】
前記撮影装置、前記記録装置、前記バッテリー、及びこれらの接続部材等は、左右のいずれか一方、若しくは左右両方の前記智及び前記テンプルに設けられても好ましい。左右両方の前記智及び前記テンプルに設けられた場合は、左右のいずれか一方に設けた場合よりも装着者のより広い範囲を撮影することができる。
【００１７】
前記記録装置の通信用コネクタのソケット端子に、パソコン側からのプラグ端子を接続できる構造とした場合、前記記録装置から前記画像等の記録データをパソコンに容易に取り込むことができるので、パソコンに時系列に行き先（場所）別に保存して、前記画像等の記録データを一括管理することが可能となる。
【考案の効果】
【００１８】
本考案によれば、満員電車等の人が混みあった場所で、痴漢冤罪防止用眼鏡を装着することにより、万が一、痴漢犯罪が発生し、痴漢を疑われた場合でも、痴漢冤罪防止用眼鏡に記録された画像等の記録データにより、痴漢行為が疑われた時点での自己の行為を証明することができるので、痴漢行為の疑いを晴らすことができると共に、冤罪事件になることを未然に防止できる。
【図面の簡単な説明】
【００１９】
【図１】本考案の実施例を示し、痴漢冤罪防止用眼鏡１の正面図である。
【図２】本考案の実施例を示し、痴漢冤罪防止用眼鏡１の平面図である。
【図３】本考案の実施例を示し、痴漢冤罪防止用眼鏡１の底面図である。
【図４】本考案の実施例を示し、痴漢冤罪防止用眼鏡１の右側面図である。
【図５】本考案の実施例を示し、テンプル１５を折り畳んで内側に閉じている状態の痴漢冤罪防止用眼鏡１の平面図である。
【図６】図５のＡ矢視図である。
【図７】図４のＢ部拡大図である。
【図８】図５のＣ部拡大図である。
【図９】図６のＤ部拡大図である。
【図１０】本考案の実施例を示し、痴漢冤罪防止用眼鏡１の使用状態を示す参考図である。
【図１１】本考案の実施例を示し、痴漢冤罪防止用眼鏡１を使用する時の動作を説明するフローチャートである。
【考案を実施するための形態】
【００２０】
以下、本考案に係る実施の形態を、図１乃至図１１を参照しながら詳しく説明する。なお、本明細書及び図面において、実質的に同一の機能構成を有する構成要素については、同一の符号を付することにより重複説明を省略する。
【００２１】
図１及び図２に示すように、本考案の痴漢冤罪防止用眼鏡１は、一般的な眼鏡用フレームと同様に、フロント３、リム５、ブリッジ７、パッド９、智１１、丁番１３、テンプル１５、及びモダン１７からなり、智１１に超小型の撮影装置１９及び記録装置２１を内蔵すると共に、テンプル１５に撮影装置１９及び記録装置２１を駆動するための電源を供給する超小型のバッテリー２５を内蔵することにより構成されている。
【００２２】
図１及び図４に示すように、撮影装置１９のカメラレンズ部１９ａは、智１１の下方に開放されてなる穴１１ａに下向きに取り付けることにより、痴漢冤罪防止用眼鏡１を装着した装着者の胸部から下に位置する手や足等の体の部分が含まれる周辺の外観を撮影することができる。
【００２３】
図２に示すように、記録装置２１は、撮影装置１９の後方の智１１に内蔵されており、撮影装置１９で撮影された画像等の記録データが記録され、一時的に保存しておくことができる。また、図８及び図９に示すように、智１１の端部１１ｂに、撮影装置１９及び記録装置２１の通信用コネクタ（たとえば、ＵＳＢ規格に準拠したｍｉｃｒｏＵＳＢ）のソケット端子２３と、撮影装置１９及び記録装置２１に電源を供給するための電源スイッチ用の固定側接点２１ａとを露出するように設けられている。
【００２４】
図３、図４及び図６に示すように、テンプル１５には、リチウムイオン二次電池等からなる充電可能なバッテリー２５が内蔵されており、図８に示すように、テンプル１５の端部１５ａに、撮影装置１９及び記録装置２１に電源を供給するための電源スイッチ用の可動側接点２５ｂが露出するように設けられると共に、図３及び図７に示すように、テンプル１５の下方に、バッテリー２５を外部から充電するための充電端子２５ａが露出するように設けられている。
【００２５】
また、図８に示すように、テンプル１５は、丁番１３で智１１と接続されており、丁番１３を軸にしてテンプル１５を回動自在に図５及び図６のように折り畳んで内側に閉じたり、或いは図２及び図３のように完全に開いたりすることができる。
【００２６】
テンプル１５が図５及び図６のように折り畳んで閉じられている場合は、図８に示すように、可動側接点２５ｂが固定側接点２１ａと離隔した状態となるために、バッテリー２５から撮影装置１９及び記録装置２１への電源の供給がオフの状態となっている。一方、テンプル１５が図２及び図３のように左右に完全に開いている場合は、図７に示すように、可動側接点２５ｂが固定側接点２１ａに接触して電気的接続状態となるために、バッテリー２５から撮影装置１９及び記録装置２１への電源の供給がオンの状態となっている。
【００２７】
したがって、装着者がテンプル１５を折り畳んで閉じられている状態から、テンプル１５を開いて痴漢冤罪防止用眼鏡１を装着した段階で、可動側接点２５ｂと固定側接点２１ａが接触して電源の供給がオンになることにより、装着者の胸部から下に位置する手や足等の体の部分が含まれる周辺の外観の撮影が画像の撮影時刻の記録と共に開始されることになり、装着者が痴漢冤罪防止用眼鏡１を装着している間中、その撮影及び記録が継続されることになる。
【００２８】
撮影装置１９、記録装置２１、バッテリー２５、及びこれらの接続部材等は、左右のいずれか一方、若しくは左右両方の智１１及びテンプル１５に設けられても良く、左右両方に設けられた場合は、装着者の左右のより広い範囲を撮影することが可能となる。
【００２９】
また、撮影装置１９は、左右のいずれか一方、若しくは左右両方の智１１に内蔵されるだけでなく、左右のいずれか一方、若しくは左右両方のモダン１７に内蔵される構成であっても良く、この構成の場合も、カメラレンズ部１９ａはモダン１７に下向き（図示略）に取り付けることになる。
【００３０】
智１１に撮影装置１９を取り付けた場合には、装着者の腹側の胸部から下に位置する手や足等の体の部分が含まれる周辺を撮影することができるが、モダン１７に撮影装置１９を取り付ける場合には、装着者の背中側を撮影することができる。
【００３１】
さらに、撮影装置１９は、左右のいずれか一方の智１１に内蔵されると共に、左右いずれか他方のモダン１７にも撮影装置１９が内蔵されることにより（図示略）、装着者の腹側から背中側に亘ってより広い範囲で撮影することができる。
【００３２】
記録装置２１の通信用コネクタのソケット端子２３に、パソコン側からのプラグ端子（図示略）を接続して、記録装置２１から画像等の記録データをパソコンに取り込むことができるので、パソコンに時系列に行き先（場所）別に保存して、画像等の記録データを一括管理することが可能である。
【００３３】
なお、撮影装置１９、記録装置２１、固定側接点２１ａ、ソケット端子２３、バッテリー２５、充電端子２５ａ及び可動側接点２５ｂは、被覆電線（図示略）等により、相互に関連して電気的に接続されている。
【００３４】
図１０に示すように、男性Ｍが満員電車に乗った際に、痴漢冤罪防止用眼鏡１を装着することにより、カメラレンズ部１９ａを中心にして画角Ａの範囲で男性Ｍの胸部から下に位置する手や足等の体の部分が含まれる周辺の外観を撮影できると共に、男性Ｍが隣の女性Ｗの体に触れていない状況を記録することができる。
【００３５】
このようにしてなる本考案の痴漢冤罪防止用眼鏡１は、図１１に示すように、たとえば、［Ｓｔ１］装着者が満員電車に乗った際、バッグ等から痴漢冤罪防止用眼鏡１を取り出し、［Ｓｔ２］テンプル１５を開くことで、電源の供給がオンとなり、［Ｓｔ３］痴漢冤罪防止用眼鏡１を装着することにより、装着者の胸部から下に位置する手や足等の体の部分が含まれる周辺の外観を撮影し、［Ｓｔ４］目的地の駅で電車を降り、［Ｓｔ５］痴漢冤罪防止用眼鏡１を外し、［Ｓｔ６］テンプル１５を折り畳んで閉じられることで電源の供給がオフとなり、［Ｓｔ７］万が一、痴漢犯罪事件が発生し、痴漢を疑われた場合、記録データに記録されている画像は、画像の撮影時刻の記録を含んでなるので、その記録データをパソコンに取り込み、記録データを警察に提出することにより、装着者自身の手足の動きを証明すると共に、痴漢行為を行っていないことを立証することができる。
【符号の説明】
【００３６】
１    痴漢冤罪防止用眼鏡
３    フロント
５    リム
７    ブリッジ
９    パッド
１１    智
１１ａ    穴
１１ｂ    端部
１３    丁番
１５    テンプル
１５ａ    端部
１７    モダン
１９    撮影装置
１９ａ    カメラレンズ部
２１    記録装置
２１ａ    固定側接点
２３    ソケット端子
２５    バッテリー
２５ａ    充電端子
２５ｂ    可動側接点
Ａ    画角
Ｍ    男性
Ｗ    女性
【図１】
0003213908.tif 000003
【図２】
0003213908.tif 000004
【図３】
0003213908.tif 000005
【図４】
0003213908.tif 000006
【図５】
0003213908.tif 000007
【図６】
0003213908.tif 000008
【図７】
0003213908.tif 000009
【図８】
0003213908.tif 000010
【図９】
0003213908.tif 000011
【図１０】
0003213908.tif 000012
【図１１】
0003213908.tif 000013